(57)【特許請求の範囲】
【請求項１】
メガフォンと、
前記メガフォンの口当て部端寄りの最小口径部または前記最小口径部に隣接する位置に取り外し可能に収容されたフィルターとを備え、
前記フィルターが、一対の網状ケース半体を開閉可能に重ねて扁平空間を形成する網状ケースと、前記網状ケースの扁平空間に取り換え可能に収容される１枚または複数枚重ねのメッシュウエブとからなる
ことを特徴とするフィルター付きメガフォン。
【請求項２】
前記メガフォンが、一端が小径開口部を含む小径開口端でありかつ他端が口を覆える大きさの開口端である口当てピースと、一端が前記口当てピースの小径開口端に対応する大きさの小径開口端でありかつ他端が大径開口端であるメガフォン本体とを有し、前記口当てピースの小径開口端と前記メガフォン本体の小径開口端とがそれぞれに設けられた連結部同士が分割可能に連結する構成である
ことを特徴とする請求項１に記載のフィルター付きメガフォン。
【請求項３】
前記メガフォン本体がプラスチック製であり前記小径開口端に前記フィルターを備えていることを特徴とする請求項２に記載のフィルター付きメガフォン。
【請求項４】
前記口当てピースは前記フィルターを備えている
ことを特徴とする請求項２に記載のフィルター付きメガフォン。
【請求項５】
前記メガフォンの前記口当て部の内側に重なりかつ前記口当て部の端縁に取り外し可能に被嵌する口当て部カバーと、前記口当て部カバーの奥行に取り外し可能に設けられた前記フィルターを備えている
ことを特徴とする請求項１に記載のフィルター付きメガフォン。
【請求項６】
前記メッシュウエブが、微生物を含む外気からマスクを装着する人を守るために使用される，耐油性なし、ろ過効率９５％以上のろ過性能を持つＮ９５マスク相当のマスク材よりなる
ことを特徴とする請求項１に記載のフィルター付きメガフォン。
【請求項７】
前記メッシュウエブが、マスクを装着した人の呼気に含まれる微生物を含む粒子が大気中に拡がるのを防ぐ目的で使用されるサージカルマスク相当のウィルス飛散をブロックする、不織布、メルトブロー不織布または同等のウィルス飛散ブロック能力を有する材料よりなる
ことを特徴とする請求項１に記載のフィルター付きメガフォン。
【請求項８】
前記メッシュウエブが、ガーゼおよび／または不織布よりなる
ことを特徴とする請求項１に記載のフィルター付きメガフォン。
【発明の詳細な説明】
【技術分野】
【０００１】
本発明は、フィルター付きメガフォンに関する。
【背景技術】
【０００２】
野球やサッカー等、各種スポーツを観戦し、応援する際には、応援・激励する声が遠くに届くようにするためにメガフォンが使用される。メガフォンは、截頭円錐筒状のメガフォン本体の最小口径部より逆向きの截頭円錐筒状の口当て部が一体に延在しているプラスチック成形体が一般的なものである。メガフォンは、口当て部に覆われるように口を宛がい、メガフォン本体の円錐筒状に広がりによって声の広がり範囲を規制して声が遠くに届くようになっている。
【先行技術文献】
【特許文献】
【０００３】
【特許文献１】実開平０６−０３７９００号公報
【発明の概要】
【発明が解決しようとする課題】
【０００４】
メガフォンを複数人で使用することは衛生的にも極めて悪い。特に、日本人には、古来より穢れ思想があるので、野球やサッカー等各種スポーツの観戦にはメガフォンの貸し借りはなく、個人専用のメガフォンが用意される。さらに、個人専用のメガフォンであっても、観戦に携行する際には、メガフォンを洗浄し、または口当て部がアルコール消毒される。
【０００５】
しかしながら、新型コロナウイルス（Ｃｏｖｉｄ−１９）、ＳＡＲＳ、新型インフルエンザ等の飛沫感染病が流行っている状況では、飛沫が遠くに飛ぶのを防止するため、声出し応援が禁止され、まして、メガフォンを使用することはできない。感染病の流行が終息した後でも、新型コロナウイルス（Ｃｏｖｉｄ−１９）等が完全になくなるわけではないから、メガフォンを使用して応援・激励することはこれから何年も禁止されることが考えられる。
【０００６】
本発明は、このような課題を解決するためになされたもので、野球やサッカー等、各種ス ポーツを観戦に際し、口当て部に口を当てて大声を出して応援・激励してもウイルスカット、飛沫や唾液を外部に放出防止ができるフィルター付きメガフォンを提供することを目的と する。
【０００７】
さらに、本発明は、好ましくは、野球やサッカー等、各種スポーツを観戦に際し、口当て部のみをアルコール消毒してプラスチック製袋に収納して清潔を保って携帯することができ、かつ応援前に組み立ててフィルターによりウイルスカット、飛沫や唾液を外部に放出防止ができ口当て部に口を当てて大声を出して応援・激励することができるフィルター付きメガフォンを提供することを目的とする。
【課題を解決するための手段】
【０００８】
本発明の第１の態様に係るフィルター付きメガフォンは、上記目的を達成するため、メガフォンと、前記メガフォンの口当て部端寄りの最小口径部または前記最小口径部に隣接する位置に取り外し可能に収容されたフィルターとを備えた構成である。
【０００９】
本発明の第２の態様に係るフィルター付きメガフォンは、第１の態様に係る構成に加え、前記フィルターが、一対の網状ケース半体を開閉可能に重ねて扁平空間を形成する網状ケースと、前記網状ケースの扁平空間に取り換え可能に収容される１枚または複数枚重ねのメッシュウエブとからなる構成である。
【００１０】
本発明の第３の態様に係るフィルター付きメガフォンは、第１または２の態様に係る構 成に加え、前記メガフォンが、一端が前記小径開口部を含む小径開口端でありかつ他端が口 を覆える大きさの開口端である口当てピースと、一端が前記口当てピースの小径開口端に 対応する大きさの小径開口端でありかつ他端が大径開口端であるメガフォン本体とを有し、前記口当てピースの小径開口端と前記メガフォン本体の小径開口端とがそれぞれに設けら れた連結部同士が分割可能に連結する構成である。
【００１１】
本発明の第４の態様に係るフィルター付きメガフォンは、第１−３の態様に係る構成に加え、前記メガフォン本体がプラスチック製であり小径開口端に前記フィルターを備えている構成である。
【００１２】
本発明の第５の態様に係るフィルター付きメガフォンは、第１−３の態様に係る構成に加え、前記口当てピースが前記フィルターを備えている構成である。
【００１３】
本発明の第６の態様に係るフィルター付きメガフォンは、第１または２の態様に係る構成に加え、前記メガフォンの前記口当て部の内側に重なりかつ前記口当て部の端縁に取り外し可能に被嵌する口当て部カバーと、前記口当て部カバーの奥行に取り外し可能に設けられた前記フィルターを備えている構成である。
【００１４】
本発明の第７の態様に係るフィルター付きメガフォンは、第１−６の態様に係る構成に加え、前記メッシュウエブが、微生物を含む外気からマスクを装着する人を守るために使用される，耐油性なし、ろ過効率９５％以上のろ過性能を持つＮ９５マスク相当のマスク材よりなる構成である。
【００１５】
本発明の第８の態様に係るフィルター付きメガフォンは、第１−６の態様に係る構成に加え、前記メッシュウエブが、マスクを装着した人の呼気に含まれる微生物を含む粒子が大気中に拡がるのを防ぐ目的で使用されるサージカルマスク相当のウィルス飛散をブロックする、不織布、メルトブロー不織布または同等のウィルス飛散ブロック能力を有する材料よりなる構成である。
【００１６】
本発明の第９の態様に係るフィルター付きメガフォンは、第１−６の態様に係る構成に加え、前記メッシュウエブが、ガーゼおよび／または不織布よりなる構成である。
【発明の効果】
【００１７】
一態様によれば、このような課題を解決するためになされたもので、野球やサッカー等、各種スポーツを観戦に際し、口当て部に口を当てて大声を出して応援・激励してもウイルスカット、飛沫や唾液を外部に放出防止ができるフィルター付きメガフォンを提供することができる。
【００１８】
さらに、一態様によれば、野球やサッカー等、各種スポーツを観戦に際し、口当て部のみをアルコール消毒してフィルターとともにプラスチック製袋に収納して清潔を保って携帯することができ、かつ応援前に組み立ててフィルターによりウイルスカット、飛沫や唾液を外部に放出防止ができ口当て部に口を当てて大声を出して応援・激励することができるフィルター付きメガフォンを提供することができる。
【図面の簡単な説明】
【００１９】
【図１】本実施の形態に係るフィルター付きメガフォンの縦断面図である。
【図２】本実施の形態に係るフィルター付きメガフォンの縦断面図の他の例である。
【図３】本実施の形態に係るフィルター付きメガフォンの縦断面図の他の例である。
【発明を実施するための形態】
【００２０】
以下、本発明に係るフィルター付きメガフォンに係る実施の形態について図面を参照して説明する。
【００２１】
［第１の実施形態］
図１に示すように、この実施の形態に係るフィルター付きメガフォンＭ１は、メガフォン１と、メガフォン１の口当て部端寄りの最小口径部または前記最小口径部に隣接する位置に取り外し可能に収容されたフィルター３０とを備えてなる。
【００２２】
さらに、メガフォン１は、好ましくはメガフォン本体１０と、口当てピース２０とを分離可能に連結されてなり、メガフォン本体１０はプラスチック成形体であり、口当てピース２ ０はプラスチック成形体またはゴム成形体であり、フィルター３０がメガフォン本体１０ に設けられる場合と口当てピース２０に設けられる場合のいずれであってもよい。
【００２３】
以下更に詳細な構成を説明する。
【００２４】
メガフォン本体１０は、一端が小径開口端でありかつ該一端に本体側連結部１１を有し、他端が大径開口端である。メガフォン本体１０には、ネックストラップを係止する一対のストラップ係止用リング部１２を有する。
【００２５】
口当てピース２０は、一端がメガフォン本体１０の小径開口端に対応する大きさの小径開口端でありかつ本体側連結部１１に連結する口当てピース側連結部２１を有し、他端が口を覆える大きさの開口端である。口当てピース２０は、口元から例えば５−２０ｍｍ離れる位置に最小口径部を有し、口元側の端部に向かって漸次に拡径している形状である。
【００２６】
メガフォン本体１０の本体側連結部１１と口当てピース２０の口当てピース側連結部２ １とは、取り外し可能に連結可能な構成であればよい。図示は、口当てピース２０がゴム成形体である場合の一例を示す。この例では、本体側連結部１１がフランジで構成され、ピース側連結部２１が拡径して本体側連結部１１に被り縮径して嵌着する構造を示している。また図示しないが、口当てピース２０がプラスチック成形体である場合には、ピース側連結部２１が拡径することができないから、本体側連結部１１とピース側連結部２１とがねじ結合や差し込んで一定角度捻ると係合する構造、等であっても良い。
【００２７】
フィルター３０は、メガフォン本体１０の小径開口端内に取り外し可能に収容される。ここで、取り外し可能とは、単純に軸方向に差し込んで撓み部分が係合する場合や、ねじ結合の場合、差し込んで一定角度捻ると係合する構造、等であってよい。
【００２８】
フィルター３０は、一対の網状ケース半体３１Ａ，３１Ｂを開閉可能に重ねて扁平空間を形成する網状ケース３１と、網状ケース３１の扁平空間に取り換え可能に収容されるメッシュウエブ３３とからなる。
【００２９】
網状ケース３１について、プレス成形品であるかプラスチック成形品であり、一対の網状ケース半体３１Ａ，３１Ｂが開閉する構成である。図示のものは、一方の網状ケース半体３１Ａが網状底面部と雄ねじを有する円筒部を有する浅い容器形状であり、他方の網状ケース半体３１Ｂが蓋状に設けられかつ中心部につまみ３２を一体に有する。なお、網状ケース３１は、一対の網状ケース半体３１Ａ，３１Ｂが全く同一の形状のものを重ね合わせて扁平空間を形成する構成であってよく、また一対の網状ケース半体３１Ａ，３１Ｂが直径方向の一端がヒンジで連結され、かつ直径方向の他端にたがいに係合する係止部を有し二枚貝のように開閉する構成であってもよい。
【００３０】
メッシュウエブ３３は、網状ケース３１が形成する扁平空間に収容される１枚または複 数枚重ねの通気性ウエブであって、周縁がケース内面に隙間なく収容される。メッシュウエ ブ３３は、微生物を含む外気からマスクを装着する人を守るために使用される，耐油性なし、ろ過効率９５％以上のろ過性能を持つＮ９５マスク相当のマスク材よりなるものであるか、または、マスクを装着した人の呼気に含まれる微生物を含む粒子が大気中に拡がるのを 防ぐ目的で使用されるサージカル・マスク相当のマスク材よりなるものであるか、さらには、ガーゼおよび／または不織布よりなるものである、いずれであってもよい。
【００３１】
本実施形態に係るフィルター付きメガフォンＭ１は、メガフォン１とフィルター３０とを備えてなるので、野球やサッカー等、各種スポーツを観戦に際し、口当て部に口を当てて大声を出して応援・激励してもウイルスカット、飛沫や唾液を外部に放出防止ができる。
【００３２】
さらに、本実施形態に係るフィルター付きメガフォンＭ１は、メガフォン１がメガフォン本体１０と口当て部２０とを結合・分離可能に設けてなるので、メガフォン１の使用に際して、口当て部２０およびフィルター３０の網状ケース３１を水洗いしアルコール消毒し、未使用または無菌処理したメッシュウエブ３３を網状ケース３１に収容してフィルター３０ とし、このフィルター３０を口当て部２０とともにプラスチック製袋に収納し、さらにメガフォン本体１０とともに携帯することができる。そして、メガフォン本体１０については個人専用として用意する必要がなく、さらに、口当て部２０とメガフォン本体１０との間に備えるフィルター３０によりウイルスカット、飛沫や唾液を外部に放出防止ができて口当て部２０に口を当てて大声を出して応援・激励することができる。
【００３３】
さらに、本実施形態に係るフィルター付きメガフォンＭ１は、フィルター３０が一対の網状ケース半体３１Ａ，３１Ｂを開閉可能に重ねて扁平空間を形成する網状ケース３１と、網状ケース３１の扁平空間に取り換え可能に収容される１枚または複数枚重ねのメッシュウエブ３３とからなるので、網状ケースの洗浄とメッシュウエブ３３の洗浄または未使用品との交換により何度でも低コストで清潔を保つことができる。
【００３４】
［第２の実施形態］
図２に示すように、この実施の形態に係るフィルター付きメガフォンＭ２は、メガフォン１Ａがメガフォン本体１０Ａと口当て部２０Ａとを結合・分離可能に設けられてなり、さらにフィルター３０が口当て部２０Ａに取り外し可能に設けられてなる。フィルター３０は、第１の実施形態のフィルター３０と同一である。その他の構成は、第１の実施形態と同様であり説明を省略する。また、この実施の形態に係るフィルター付きメガフォンＭ２の効果は第１の実施形態と同様である。
【００３５】
［第３の実施形態］
図３に示すように、この実施の形態に係るフィルター付きメガフォンＭ３は、メガフォン１Ｂがメガフォン本体と口当て部とに分離する構成ではなく、従来のメガフォンと同一である。このフィルター付きメガフォンＭ３は、メガフォン１Ｂの口当て部１３の内面に密着するプラスチック製またはゴム製の口当て部カバー４０と、口当て部カバー４０の奥行に交換可能に収容・係止されるフィルター３０とを有する。
【００３６】
口当て部カバー４０は、両端が開口していてメガフォン１Ｂの口当て部１３の内面に密着する逆向きテーパ筒部４１と、逆向きテーパ筒部４１の大径端寄り延在しメガフォン１ Ｂの口当て部１３に被嵌する係止部４２とを有する。フィルター３０は、第１の実施形態のフィルター３０と同一である。その他の構成は、第１の実施形態と同様であり説明を省略する。また、この実施の形態に係るフィルター付きメガフォンＭ３の効果は第１の実施形態と同様である。
【符号の説明】
【００３７】
Ｍ１，Ｍ２，Ｍ３…フィルター付きメガフォン、
１，１Ａ，１Ｂ…メガフォン、
１０，１０Ａ…メガフォン本体、
１１…本体側連結部、
１２…ストラップ係止用リング部、
２０，２０Ａ…口当てピース、
２１…口当てピース側連結部、
３０…フィルター、
３１…網状ケース、
３１Ａ，３１Ｂ…網状ケース半体、
３２…つまみ、
３３…メッシュウエブ、
４０…口当て部カバー、
４１…テーパ筒部、
４２…係止部４２。
【要約】
【課題】野球やサッカー等、各種スポーツを観戦に際し、口当て部に口を当てて大声を出して応援・激励してもウイルスカット、飛沫や唾液を外部に放出防止ができるフィルター付きメガフォンを提供すること。
【解決手段】フィルター付きメガフォンＭ１は、メガフォン１と、メガフォン１の口当て部端寄りの最小口径部または隣接する位置に取り外し可能に収容されたフィルター３０とを備え、メガフォン１は、メガフォン本体１０と口当てピース２０とを分離可能に連結される構成であり、フィルター３０は、一対の網状ケース半体３１Ａ，３１Ｂを開閉可能に重ねて扁平空間を形成する網状ケース３１と、網状ケース３１の扁平空間に取り換え可能に収容される１枚または複数枚重ねのメッシュウエブ３３とからなる。
【選択図】図１【図１】
0006868874.tif 000002
【図２】
0006868874.tif 000003
【図３】
0006868874.tif 000004